(57)【要約】  【課題】    日用品の寝具や衣料などで使われるファスナーについて、容易に開閉できて、かつ防虫や防水の効果を長期にわたって保持できるようにすることにある。  【解決手段】    寝具や衣料などの日用品のスライドファスナーや、ベルベットファスナー、その他のファスナー１にその開閉具２の表面側を被覆するようにして防虫や防水のためのマグネットラバーシート等のシート磁石５のカバーシート６を吸脱可能に配設したものである。スライドファスナー１のファスナーエレメント３の側部のファスナーテープ４の表面にマグネットラバーシート等のシート磁石５を被覆し、上記ファスナー１の開閉具２を被覆するためのカバーシート６をそのカバーテープ７の表面にマグネットラバーシート等のシート磁石８を被覆して形成して、そのカバーシート６の一側部を上記ファスナー１の一側部のファスナーテープ４に取着するとともに、その他側部を上記ファスナー１の他側部のファスナーテープ４の表面側に吸脱開閉可能に配設するようにするのが好ましい。【選択図】        図２
2006110223.tif 000002
【特許請求の範囲】
【請求項１】
寝具や衣料などの日用品のスライドファスナーや、ベルベットファスナー、その他の
ファスナーにその開閉具の表面側を被覆するようにして防虫や防水のためのマグネットラ
バーシート等のシート磁石のカバーシートを吸脱開閉可能に配設したことを特徴とする寝
具や衣料などの防虫や防水用のファスナー。
【請求項２】
スライドファスナーのファスナーエレメントの側部のファスナーテープの表面にマグ
ネットラバーシート等のシート磁石を被覆し、上記スライドファスナーの開閉具を被覆す
るためのカバーシートをそのカバーテープの表面にマグネットラバーシート等のシート磁
石を被覆して形成して、そのカバーシートの一側部を上記スライドファスナーの一側部の
ファスナーテープに取着するとともに、その他側部を上記スライドファスナーの他側部の
ファスナーテープの表面側に吸脱開閉可能に配設するようにした請求項１に記載の寝具や
衣料などの防虫や防水用のファスナー。
【請求項３】
開閉具とカバーシートとの間に防虫剤や殺虫剤、抗菌剤、忌避剤を塗着したり、浸漬
したり、内装した害虫等侵入出バリヤーをその表面にマグネットラバーシート等のシート
磁石を被覆して着脱自在に取り付けるようにした請求項１または２に記載の寝具や衣料な
どの防虫や防水用のファスナー。
【発明の詳細な説明】
【技術分野】
【０００１】
本発明は、ダニやイガ、雑菌などの害虫や細菌類に対して保護がはかれる寝具や衣料
などの防虫や防水用のファスナーに関するものである。
【背景技術】
【０００２】
近年、安眠および熟睡できる枕が疲労回復に役立ち、心地よい目覚めが得られ、健康
に大いに寄与できることから、いわゆる健康枕として人気を博している。
【０００３】
また、寝室で発生するアレルゲンのほとんどは、布団等から出るダニやホコリといわ
れている。
【０００４】
そのため、アレルゲン対策を考えて、極細繊維不織布層を使用して布団、枕中のアレ
ルゲンの暴露量を減らし、ダニの繁殖を防ぐようにしたものや、抗菌処理した枕カバー、
布団カバーなどで枕や布団を被覆し、またこれらのミシン目もダニ等が侵入しないように
内側から当て布を縫着して対処しているものが知られている。
【０００５】
しかし、このようにカバーを高密度織り生地や抗菌処理して対処しても、枕や布団を
出し入れするカバーのファスナーの開閉部からダニ等が侵入出するので、枕や布団等のア
レルゲンを解消することができないものであった。
【０００６】
そこで、これらについて先行特許調査を行った結果、特開２００４−１６７５１、特
開２０００−３１２６０４、特開２００２−２９１５０３、特開２０００−２１０１０７
などが検索された。
【特許文献１】特開２００４−１６７５１
【特許文献２】特開２０００−３１２６０４
【特許文献３】特開２００２−２９１５０３
【特許文献４】特開２０００−２１０１０７
【０００７】
特開２００４−１６７５１では、ファスナーシートにダニ、蚊、蠅、ゴキブリなどの
害虫を寄せつけない防虫剤や、消臭効果のある消臭剤を含有する薬剤を付着することが提
案されている。
また、特開２０００−３１２６０４は、防水性を有するスライドファスナーのもので
、ファスナーテープに合成樹脂フィルムを溶着したり、そのファスナーエレメントを縫着
した部分のテープ裏面に防水加工を施すことが提案されている。
【０００８】
また、特開２００２−２９１５０３は、マリンスポーツ用スーツ等の背中の開閉部を
防水する防水ファスナーで、いわゆるレールファスナーとスライドファスナーとを二重に
設けることが提案されている。さらに、特開２０００−２１０１０７は、同じく防水二重
ファスナーで、二重状としたジッパー型ファスナーとレール状ファスナーを１つのスライ
ダーで係合することが提案されている。
【０００９】
このように、防虫や防水用のファスナーが提案されているが、寝具や衣料のような日
用品では、繰り返し洗濯するので薬効が低下していくものであり、またマリンスポーツ用
等の防水ファスナーは防水効果は高いものの、ファスナーの開閉が堅くて容易でなくて力
を要するものであり、かつ高価であり、寝具や衣料等の日用品向けに容易で、かつ防虫、
防水の効果を有するものではなかった。
【発明の開示】
【発明が解決しようとする課題】
【００１０】
本発明の解決しようとする課題は、日用品の寝具や衣料などで使われるファスナーに
ついて、容易に開閉できて、かつ防虫や防水の効果を長期にわたって保持できるようにす
ることにある。
【課題を解決するための手段】
【００１１】
本発明は、上記した点に鑑みたもので、上記した課題を解決するために、寝具や衣料
などの日用品のスライドファスナーや、ベルベットファスナー、その他のファスナーにそ
の開閉具の表面側を被覆するようにして防虫や防水のためのマグネットラバーシート等の
シート磁石のカバーシートを吸脱開閉可能に配設したことを特徴とする寝具や衣料などの
防虫や防水用のファスナーを提供するものである。
【００１２】
また、スライドファスナーのファスナーエレメントの側部のファスナーテープの表面
にマグネットラバーシート等のシート磁石を被覆し、上記スライドファスナーの開閉具を
被覆するためのカバーシートをそのカバーテープの表面にマグネットラバーシート等のシ
ート磁石を被覆して形成して、そのカバーシートの一側部を上記スライドファスナーの一
側部のファスナーテープに取着するとともに、その他側部を上記スライドファスナーの他
側部のファスナーテープの表面側に吸脱開閉可能に配設するようにしたことを特徴とする
寝具や衣料などの防虫や防水用のファスナーを提供するものである。
【００１３】
さらに、開閉具とカバーシートとの間に防虫剤や殺虫剤、抗菌剤、忌避剤を塗着した
り、浸漬したり、内装した害虫等侵入出バリヤーをその表面にマグネットラバーシート等
のシート磁石を被覆して着脱自在に取り付けるようにしたことを特徴とする寝具や衣料な
どの防虫や防水用のファスナーを提供するものである。
【発明の効果】
【００１４】
本発明の寝具や衣料などの防虫や防水用のファスナーは、寝具や衣料などの日用品の
スライドファスナーや、ベルベットファスナー、その他のファスナーにその開閉具の表面
側を被覆するようにして防虫や防水のためのマグネットラバーシート等のシート磁石のカ
バーシートを吸脱開閉可能に配設したので、ファスナーの開閉が円滑で容易であるととも
に、スライドファスナーなどの開閉具にマグネットラバーシート等のシート磁石のカバー
シートを吸着した被覆状態にできて、寝具や衣料などのファスナーからのダニやイガ、雑
菌類が侵入出するのを防止でき、また衣服等にあっては雨水等がファスナーの開閉部から
侵入するのも防止するようにできる。
【００１５】
また、スライドファスナーのファスナーエレメントの側部のファスナーテープの表面
にマグネットラバーシート等のシート磁石を被覆し、上記スライドファスナーの開閉具を
被覆するためのカバーシートをそのカバーテープの表面にマグネットラバーシート等のシ
ート磁石を被覆して形成して、そのカバーシートの一側部を上記スライドファスナーの一
側部のファスナーテープに取着するとともに、その他側部を上記スライドファスナーの他
側部のファスナーテープの表面側に吸脱開閉可能に配設することによって、多用されてい
るスライドファスナーをマグネット吸着のカバーシートで密封状態に閉塞できるとともに
容易に開閉できて、ダニやイガ、雑菌類が侵入出するのを防止でき、また衣服等にあって
は雨水等がファスナーの開閉部から侵入するのも防止するようにできる。
【００１６】
さらに、開閉具とカバーシートとの間に防虫剤や殺虫剤、抗菌剤、忌避剤を塗着した
り、浸漬したり、内装した害虫等侵入出バリヤーをその表面にマグネットラバーシート等
のシート磁石を被覆して着脱自在に取り付けるようにすることによって、害虫等侵入出バ
リヤーを取りはずして枕カバー等を洗濯することができ、侵入出バリヤーの効果を低下す
るのを防止できて長期間使用できる。また、侵入出バリヤーの使用期間がくると、交換し
て使用することができる。
【発明を実施するための最良の形態】
【００１７】
本発明の寝具や衣料などの防虫や防水用のファスナーは、寝具や衣料などの日用品の
スライドファスナーや、ベルベットファスナー、その他のファスナーにその開閉具の表面
側を被覆するようにして防虫や防水のためのマグネットラバーシート等のシート磁石のカ
バーシートを吸脱開閉可能に配設したことを特徴としている。
【００１８】
ファスナー１は、枕カバー、布用カバー、座布団カバーなどの寝装品、袋物、シート
カバー、おむつカバーなどの雑貨品、シャツ、パジャマ、ズボン、ジャンバー、作業衣な
どの衣料品などの日用品に主として利用でき、樹脂製や金属製のスライドファスナーが特
に好ましいが、ベルベットファスナーの面ファスナーや凹凸部を嵌脱するいわゆるレール
ファスナーなどにも適用することができる。
【００１９】
このファスナー１は、図１、図２に示すようにスライドファスナー等の開閉自在の開
閉具２の樹脂や金属のファスナーエレメント３の両側部の超気密織物のファスナーテープ
４の表面側に、マグネットラバーシートやマグネットラバー微粉末の取着、マグネット金
属シート等のシート磁石５を被覆し、上記ファスナー１の開閉具２を被覆するためのカバ
ーシート６をそのカバーテープ７の表面にマグネットラバーシートやマグネットラバー微
粉末の取着、マグネット金属シート等のシート磁石８を縫着したり、溶着したりして被覆
して形成して、そのカバーシート６の一側部をファスナー１の一側部のファスナーテープ
４に縫着したりして取着するとともに、その他側部をファスナー１の他側部のファスナー
テープ４の表面側に吸脱開閉可能に配設するようにしている。
【００２０】
マグネットラバーシート等のシート磁石５としては、フェライト系や希土類系のボン
ド磁石等のものを適用でき、天然ゴム、合成ゴム、プラスチックなどの結合材料に上記し
た磁性粉を混入した適宜の可撓性のもので、特に異方性磁石のものが磁力が強くて好まし
い。そして、０．３〜１．２ｍｍ厚さ（好ましくは０．３〜０．５ｍｍ厚さ）のマグネッ
トラバーシートや、希土類と鉄等によるリボン状のマグネット金属シート、さらにマグネ
ットラバー微粉末を０．３〜１．２ｍｍ厚さ（好ましくは０．３〜０．５ｍｍ厚さ）に取
着したシート磁石５を上記したファスナー１の布や樹脂繊維シートの超気密織物や超気密
シートのファスナーテープ４の表面に溶着したり、縫着したり、コーティングしたりして
被覆するのが好ましい。
【００２１】
また、カバーシート６についても、上記ファスナー１の開閉具２を被覆可能な幅の布
や樹脂繊維の超気密織物や超気密シート等の基材７の裏面に上記したように０．３〜１．
２ｍｍ厚さ（好ましくは０．３〜０．５ｍｍ厚さ）のマグネットラバーシート８や、希土
類と鉄等によるリボン状のマグネット金属シート、さらにマグネットラバー微粉末を０．
３〜１．２ｍｍ厚さ（好ましくは０．３〜０．５ｍｍ厚さ）に取着したシート磁石８を溶
着したり、縫着したり、コーティングしたりして、そのカバーシート６の一側部を上記フ
ァスナー１の一側部のファスナーテープ４に取着するとともに、その他側部を上記ファス
ナー１の他側部のファスナーテープ４の表面側に吸脱開閉可能に被覆するようにしている
。
【００２２】
このようにマグネットのシート磁石８を設けたカバーシート６の一側部をファスナー
１の一側部のファスナーテープ４に平面状として吸脱するようにして開閉できるが、図３
（ａ）、（ｂ）のように上記した開閉具２のファスナーテープ４の表面とカバーシート６
の裏面側のマグネットラバーシート等のシート磁石８に凹凸等の係合部１０、被係合部１
１を１ないし複数個配設し、これらを嵌合自在に吸脱してより閉塞シール性、防水シール
性を向上するようにもできる。
【００２３】
また、図４のように上記したファスナー１の開閉具２とカバーシート６との間に、布
シートや不織布シート等に防虫剤や殺虫剤、抗菌剤、忌避剤を塗着したり、浸漬したり、
内装した害虫等侵入出バリヤー１２をその表面に上記したようにマグネットラバーシート
や、希土類と鉄等によるリボン状のマグネット金属シートを被覆したり、さらにマグネッ
トラバー微粉末を取着したシート磁石１３、１４を被覆して着脱自在に取り付けるように
することもできる。
【００２４】
この場合、害虫等侵出バリヤーを取りはずして枕カバーや布団カバー等のカバーや衣
料品を洗濯することができ、侵入出バリヤーの効果を低下するのを防止できて長期間使用
できる。また、侵入出バリヤーの使用期間がくると、交換して使用するようにできる。
【００２５】
また、図５のように上記したカバーシート６の裏面のシート磁石８の中央部をへこま
せたりしてその凹部１６に不織布等に防虫剤や殺虫剤、抗菌剤、忌避剤を塗着したり、浸
漬したり、内装した害虫等侵入出バリヤー部１７を装着したり、害虫等侵入出バリヤー１
２の裏面のシート磁石１４の中央部をへこませたりしてその凹部１６に不織布等に防虫剤
や殺虫剤、抗菌剤、忌避剤を塗着したり、浸漬したり、内装した害虫等侵入出バリヤー部
１７を装着して、防虫効果をはかるようにもできる。
【００２６】
上記では、ファスナー１として、スライダー１８で開閉自在のスライドファスナー１
についてマグネットラバーのボンド磁石等によるカバーシート６を吸脱するもので説明し
たが、シート磁石としては可撓性のあるものであれば適用可能であり、ファスナー１とし
ては、ベルベットファスナーの面ファスナーや凹凸部を嵌脱するいわゆるレールファスナ
ーなどにも適用することができる。また、ゴムなどの結合材料、磁石粉に防虫剤、殺虫剤
、抗菌剤、忌避剤の微粉末を混合して害虫や細菌類等の侵入出バリヤーとすることもでき
る。
【実施例】
【００２７】
図１、図２は、本発明の一実施例を示すものである。ファスナー１は、図１、２のよ
うに所定の長さの開閉具２を装着した超気密織物のファスナーテープ４の両側表面に０．
５ｍｍ厚さのフェライト系のマグネットラバーシートのシート磁石５を縫着して被覆し、
ファスナー１を被覆する幅の０．３ｍｍ厚のポリプロピレンの樹脂シートの基材７の表面
に上記と同じような０．５ｍｍ厚さのフェライト系のマグネットラバーシートのシート磁
石８を縫着したカバーシート６の一側部を上記ファスナーテープ４に縫着し、カバーシー
ト６の他方部を他方のファスナーテープ４に吸脱開閉可能にしてファスナー１の開閉具２
部をほぼ全面にわたって被覆するようにしている。
【００２８】
そのため、このファスナー１を袋状とした防虫、抗菌の枕カバーや布団カバーの開口
部に縫着したりして取り付けると、ダニやイガ、雑菌類がファスナーから侵入出するのも
防止でき、また衣服等の開口部に縫着しても雨水等がファスナーの開閉部から侵入するの
を防止できる。
【００２９】
特に、カバーシートとして、マグネットラバーシートのシート磁石を介して吸着して
重ね合せるだけなので、スライダーを操作することで堅くなく、円滑に容易にファスナー
を開閉できて、上記のように効果を奏することができる。
【００３０】
また、カバーシートの基材の裏面にマグネットラバーシートのシート磁石を取着する
ので、表面の基材をファスナーの取り付け品に合わせた色、模様のものに自由に形成でき
、違和感なく装着するようにできるが、シート磁石を脱色したり、脱色したりしたマグネ
ットラバーシート等のシート磁石自体でカバーシートを形成することもできる。
【００３１】
図３（ａ）、（ｂ）は、それぞれ本発明の他の実施例のもので、図のように上記した
開閉具２のファスナーテープ４のシート磁石５の表面、カバーシート６の裏面側のシート
磁石８のマグネット部に凹凸等の係合部１０、被係合部１１を１ないし複数個配設し、こ
れらを嵌合吸着させてより閉塞シール性、防水シール性を向上するようにもできる。
【００３２】
図４は、本発明のさらに他の実施例で、図のように上記したファスナー１の開閉具２
とカバーシート６との間に防虫剤を塗着した害虫等侵入出バリヤー２を、その表面および
裏面にマグネットラバーシートのシート磁石１３、１４を取着して着脱自在に取り付ける
ようにしたものである。この場合、害虫等侵出バリヤー１２を取りはずして被取着物を洗
濯することができ、侵入出バリヤーの効果を低下するのを防止できて長期間使用できる。
また、侵入出バリヤーの使用期間がくると、交換して使用することができる。
【００３３】
図５は、本発明のさらに他の実施例のもので、カバーシート６の裏面のシート磁石８
の中央部をへこませてその凹部１６に不織布に防虫剤を塗着した害虫等侵入出バリヤー部
１７を装着したり、害虫等侵入出バリヤー１２の裏面のシート磁石１４の中央部をへこま
せてその凹部１６に不織布に防虫剤を塗着した害虫等侵入出バリヤー部１７を装着して、
防虫効果をはかったものである。
【００３４】
上記では、スライドファスナーの実施例について説明したが、本発明の趣旨にもとづ
いてその他の変形態様も実施可能なもので、取り付け対象の日用品に対応して適宜に実施
することができる。
【図面の簡単な説明】
【００３５】
【図１】本発明の一実施例の一部省略した平面図、
【図２】同上の拡大断面図、
【図３】同上の他の実施例のカバーシート部の係合状態の説明図（ａ）、（ｂ）、
【図４】同上のさらに他の実施例のファスナーの説明用拡大断面図、
【図５】同上のさらに他の実施例のカバーシート部等の説明用拡大断面図。
【符号の説明】
【００３６】
１…ファスナー            ２…開閉具          ３…ファスナーエレメント
４…ファスナーテープ      ５…シート磁石      ６…カバーシート
７…カバーテープ          ８…シート磁石
【図１】
2006110223.tif 000003
【図２】
2006110223.tif 000004
【図３】
2006110223.tif 000005
【図４】
2006110223.tif 000006
【図５】
2006110223.tif 000007